(57)【要約】【課題】指定された処理機能等により定まる配置すべき正しい原稿の向きをユーザが容易且つ確実に把握できる画像形成装置を提供すること。【解決手段】原稿配置部に配置された原稿の複写処理を行う画像形成装置において、複写処理条件に基づいて、前記原稿配置部に配置すべき正しい原稿の向きを判断し、判断した正しい原稿の向きを音声により報知する。また、検出した原稿の向きと判断された正しい原稿の向きとに基づいて、原稿配置部に配置された原稿の向きの正否を判断し、配置された原稿の向きが誤っていると判断した場合に、その旨を音声により報知する。【選択図】図３
2005352002.tif 000002
【特許請求の範囲】
【請求項１】
原稿配置部に配置された原稿の複写処理を行う手段を備えた画像形成装置において、複写処理条件に基づいて、前記原稿配置部に配置すべき正しい原稿の向きを判断する向判断手段と、該手段により判断された正しい原稿の向きを音声により報知する手段と、を備えることを特徴とする画像形成装置。
【請求項２】
原稿配置部に配置された原稿の複写処理を行う手段と、前記原稿配置部に配置された原稿の向きを検出する向検出手段と、を備えた画像形成装置において、複写処理条件に基づいて、前記原稿配置部に配置すべき正しい原稿の向きを判断する向判断手段と、前記向検出手段により検出された原稿の向きと前記向判断手段により判断された正しい原稿の向きとに基づいて、前記原稿配置部に配置された原稿の向きの正否を判断し、前記配置された原稿の向きが誤っていると判断した場合に、その旨を音声により報知する手段と、を備えることを特徴とする画像形成装置。
【請求項３】
前記原稿配置部に配置された原稿の向きを検出する向検出手段と、前記向検出手段により検出された原稿の向きと前記向判断手段により判断された正しい原稿の向きとに基づいて、前記原稿配置部に配置された原稿の向きの正否を判断し、前記配置された原稿の向きが誤っていると判断した場合に、その旨を音声により報知する手段と、を更に備えることを特徴とする請求項１記載の画像形成装置。
【発明の詳細な説明】
【技術分野】
【０００１】
本発明は、原稿の複写処理を行う画像形成装置に関し、詳しくは、拡大・縮小機能、集約機能、両面複写機能、ステープル機能など、種々の処理機能を備えた画像形成装置に関する。
【背景技術】
【０００２】
近年の複写機等の画像形成装置は、拡大・縮小機能、集約機能、両面複写機能、ステープル機能など、様々な複写処理機能や複写処理に伴って実行される処理機能を有しており、原稿の複写処理に関して、ユーザの多様な要望に応えることができるようになっている。実行する処理機能の指定は、操作画面に表示される選択ボタンをユーザが選択すること等により行われる。
【０００３】
なお、特許文献１には、装置にエラーが発生した場合に、その解除を行うための操作ガイダンスを音声にて行うことにより、容易にエラー解除処理を行うことができる画像形成装置が開示されている。
【特許文献１】特開２００４−０３７７６７号公報
【発明の開示】
【発明が解決しようとする課題】
【０００４】
上記した様々な処理機能を有する画像形成装置は、ユーザの多様な要望に応えることができる反面、多数の処理機能を重複して指定する場合、ＡＤＦ（原稿自動送給装置）の原稿トレイやＦＢＳ（フラットベットスキャナ）の原稿台に配置すべき原稿の向きが縦横何れか一方に制限されることがある。そして、そのことはユーザに知らされないため、原稿を間違った向きに配置したまま複写処理が実行され、印字画像と記録紙の向きが互いに９０度違えて印字画像の一部が記録紙からはみ出し、ユーザの期待する出力結果が得られない場合がある。
【０００５】
近年の画像形成装置には、ＡＤＦやＦＢＳに配置された原稿の向きとトレイに収容されている記録紙の向きを検出し、配置された原稿の向きが適切でないときに、原稿の読取画像データに対して回転処理を施して適切な複写処理を実行するものもある。しかしながら、画像データに対する回転処理には、（１）回転処理後の画質が劣化するという問題、（２）回転処理のためにある程度の時間を要し、ＡＤＦなどにより多頁からなる原稿を連続的に複写処理する場合に多くの処理時間が掛かるという問題、（３）回転処理をするためのメモリ容量を確保する必要があり、装置の製造コストの上昇を招くという問題がある。
【０００６】
本発明は、かかる課題に鑑みてなされたものであり、指定された処理機能等により定まる配置すべき正しい原稿の向きをユーザが容易且つ確実に把握できる画像形成装置を提供することを目的とする。
【課題を解決するための手段】
【０００７】
上記目的を達成するために、請求項１記載の画像形成装置は、原稿配置部に配置された原稿の複写処理を行う手段を備えた画像形成装置において、複写処理条件に基づいて、前記原稿配置部に配置すべき正しい原稿の向きを判断する向判断手段と、該手段により判断された正しい原稿の向きを音声により報知する手段と、を備えることを特徴としている。
【０００８】
請求項２記載の画像形成装置は、原稿配置部に配置された原稿の複写処理を行う手段と、前記原稿配置部に配置された原稿の向きを検出する向検出手段と、を備えた画像形成装置において、複写処理条件に基づいて、前記原稿配置部に配置すべき正しい原稿の向きを判断する向判断手段と、前記向検出手段により検出された原稿の向きと前記向判断手段により判断された正しい原稿の向きとに基づいて、前記原稿配置部に配置された原稿の向きの正否を判断し、前記配置された原稿の向きが誤っていると判断した場合に、その旨を音声により報知する手段と、を備えることを特徴としている。
【０００９】
請求項３記載の画像形成装置は、請求項１記載の画像形成装置において、前記原稿配置部に配置された原稿の向きを検出する向検出手段と、前記向検出手段により検出された原稿の向きと前記向判断手段により判断された正しい原稿の向きとに基づいて、前記原稿配置部に配置された原稿の向きの正否を判断し、前記配置された原稿の向きが誤っていると判断した場合に、その旨を音声により報知する手段と、を更に備えることを特徴としている。
【発明の効果】
【００１０】
請求項１記載の画像形成装置によれば、複写処理を行う際に、配置すべき正しい原稿の向きが音声によりユーザに知らされるので、ユーザは確実に原稿を正しい方向に向けて配置することができる。
【００１１】
請求項２記載の画像形成装置によれば、複写処理を行う際に、ユーザが原稿を誤った方向に向けて配置すると、その旨が音声により報知されるので、ユーザはそのことを知って、原稿の向きを正しい方向に直すことができる。
【００１２】
請求項３記載の画像形成装置によれば、上記請求項１及び２記載の画像形成装置と同様の効果が奏される。
【発明を実施するための最良の形態】
【００１３】
以下本発明の実施の形態に係る画像形成装置として、原稿の複写機能のほか、ファクシミリ通信機能、インターネットファクシミリ通信機能、などを備えるファクシミリ複合機を例に挙げて説明する。勿論、本発明は、原稿の複写処理を行う画像形成装置であれば、ファクシミリ複合機に限らず、その他の画像形成装置にも適用可能である。
【００１４】
図１にファクシミリ複合機１の構成例を示す。すなわち、ファクシミリ複合機１は、ＣＰＵ（中央処理装置）２、ＲＯＭ（リードオンリーメモリー）３、ＲＡＭ（ランダムアクセスメモリー）４、画像メモリ５、モデム６、ＮＣＵ７、コーデック８、読取部９、記録部１０、表示部１１、音声ガイダンス生成部１２、操作部１３、ＬＡＮインタフェース１４を備え、各部２乃至１４はバス１５によって接続されている。
【００１５】
ＣＰＵ２は、ＲＯＭ３に格納された制御プログラムに従って、このファクシミリ複合機１を構成する各部を制御する制御手段として機能する。ＲＡＭ４は、メインＣＰＵ２の主メモリ、ワークエリア等として機能する。
【００１６】
また、ＲＡＭ４には、図２に示すようなテーブルＴが形成されている。ファクシミリ複合機１は、複写処理を実行する際に該テーブルＴを参照することにより、複写処理条件に基づいて配置すべき原稿の向きを判断する。このテーブルＴは、複写処理条件（使用する処理機能並びに使用する記録紙のサイズ及び向き）と、ＡＤＦやＦＢＳに配置すべき原稿の向きとを対応付けて記憶する。図示するテーブルＴにおいては、「機能Ａ」乃至「機能Ｆ」については、処理機能が指定されたことに対応する情報「ＯＮ」あるいは処理機能が指定されなかったことに対応する情報「ＯＦＦ」が記憶されている。「使用する記録紙」については、用紙サイズ及び向きに対応する情報「Ａ３横」、「Ａ４縦」等が記憶されている。「配置すべき原稿の向き」については、原稿の向きに対応する情報「縦」、「横」等が記憶されている。また、「配置すべき原稿の向き」については、使用する処理機能及び使用する記録紙の組合せとして生じ得る全てのパターンについてそれぞれ「縦」、「横」、或いは、配置すべき原稿の向きとして該当する向きが存在しない場合は、その旨を示す情報として「無」が記憶されている。なお、本実施の形態においては、原稿（記録紙）が縦方向に向けて配置（収容）されるとは、ファクシミリ複合機１の正面に立ったユーザから見て、その長手方向が手前側から奥側へ向けて配置される状態をいい、原稿（記録紙）が横方向に向けて配置（収容）されるとは、前記ユーザから見て、その長手方向が左右方向に向けて配置される状態をいう。
【００１７】
画像メモリ５は、コーデック８によって圧縮符号化された画像データ等を記憶する。モデム６は、例えばＩＴＵ−Ｔ（国際電気通信連合）の勧告Ｖ．３４規格又はこれと同様のものに従った送受信データの変調及び復調を行う。ＮＣＵ７は、公衆交換電話網との回線の閉結及び開放の動作を行う回線網制御装置である。コーデック８は、画像データを、ＪＰＥＧ方式又はＭＨ、ＭＲ、ＭＭＲ方式等により圧縮符号化する。また、圧縮符号化された画像データを復号する。
【００１８】
読取部９は、原稿の画像データを読取るものであり、例えば、ＣＣＤカラーラインセンサ、Ａ／Ｄコンバータ、画像処理回路等を含んで構成され、ＦＢＳ（フラットベットスキャナ）９ａの原稿台（原稿配置部）に配置された原稿又はＡＤＦ（原稿自動送給装置）９ｂにより送給された原稿の画像データを読取る。ＡＤＦの原稿載置トレイ（原稿配置部）とＦＢＳには、配置された原稿の向き及びサイズを検出するための原稿状態検知センサが設けられており、これらセンサから出力される信号に基づいて、ＣＰＵ２は配置された原稿の向きを検出する。勿論、原稿配置部に配置された原稿の向きを検出する手段はこれに限定されない。
【００１９】
記録部１０は、給紙カセット（不図示）から記録紙を取り出して、読取部９によって読取られた原稿の画像データ等をその記録紙上に記録する。また、記録部１０には、パンチ穴加工器１０ａ、綴じ込み器１０ｂ等のフィニッシャーが付設されている。パンチ穴加工器１０ａは、記録紙にパンチ穴を形成し、綴じ込み器１０ｂは複数の記録紙を綴じるために記録紙の所定箇所に綴じ針を打ち込む処理を行う。
【００２０】
表示部１１は、例えば操作部１３に並設されたＬＣＤ（Ｌｉｑｕｉｄ  Ｃｒｙｓｔａｌ  Ｄｉｓｐｌａｙ）からなり、各種の画面情報を表示する。操作部１３は、各種の操作キーなどを具備し、ユーザによる各種の操作は、この操作部１３において行われる。
【００２１】
音声ガイダンス生成部１２は、これに接続されたスピーカ１２ａから後述する各種の音声ガイダンスを発生する。例えば、各種の音声データを格納したメモリ（不図示）、該メモリに格納された音声データを読み出して所定のデータ処理を施し、アナログ音声データをスピーカ１２ａに出力するための回路などで構成される。
【００２２】
ＬＡＮインタフェース１４は、ファクシミリ複合機１と図示しないＬＡＮ（ローカルエリアネットワーク）とを接続するインターフェースであり、これを通じてファクシミリ複合機１は、同じくＬＡＮに接続されたクライアントＰＣ（不図示）と通信を行ったり、インターネット上の他の電子メール送受信端末とインターネットファクシミリ通信を行うことができる。
【００２３】
上記構成を備えるファクシミリ複合機１は、読取部９において読取った原稿の画像データを記録部１０において記録紙に記録する基本的な複写処理機能を備えるほか、各種の応用複写処理機能及び複写処理に伴って実行される処理機能（パンチ機能、ステープル機能など）を備える。これら処理機能の指定は、複写処理開始前に後述するウィザードにおいて行われる。
【００２４】
前記応用複写処理機能は、例えば、原稿の画像を拡大又は縮小して複写する拡大・縮小処理機能、複数枚の原稿の画像を１枚の記録紙に集約して複写する集約機能、原稿の画像を記録紙の両面に複写する両面複写機能、指定された部数に従って原稿の複写処理を行う部数指定機能、複写された記録紙を部数ごとに仕分けするソート機能などである。また、前記複写処理に伴って実行される処理機能は、例えば、パンチ穴加工器１０ａにて原稿の画像が形成された記録紙にパンチ穴を開けるパンチ機能、綴じ込み器１０ｂにて綴じ針を原稿の画像が形成された記録紙の所定箇所に打ち込むステーブル機能などである。なお、上記例示した処理機能は、図２のテーブルＴの「機能Ａ」、「機能Ｂ」・・・などに相当する。
【００２５】
以下、ウィザードの実行により処理機能等を指定する際のファクシミリ複合機１の処理動作について、図３に示すフローチャートに基づいて説明する。なお、このフローチャートに基づいて説明するファクシミリ複合機１の処理動作は、ＲＯＭ３に格納された制御プログラムに基づいてＣＰＵ２が発行する命令に従って実行される。
【００２６】
まず、操作部１３の所定操作により、ウィザードが起動されると、図４及び図５に示すような、画面情報が表示部１１に表示され、各種処理機能の使用の有無、原稿の用紙サイズ等の問合せ対して応答操作を行うごとに、画面表示状態が移行する。また、各画面情報が表示されるごとに各画面に対応した音声ガイダンスがスピーカ１２ａから発生される。表示及び音声ガイダンスの内容は、各種処理機能を利用するか否かの指定、原稿用紙サイズの指定をユーザに要求するものである。これに対するユーザの指定操作は、操作部１３の所定操作（例えば各画面が表示される毎に「Ｙ／Ｎ」や数字を入力する操作）により行われる。
【００２７】
起動したウィザード上で、使用する処理機能、原稿の用紙サイズの指定を受けると（Ｓ１）、指定された処理機能及び原稿の用紙サイズから使用する記録紙（記録紙のサイズ及び向き）を確定する（Ｓ２）。そして、使用する記録紙、処理機能等の複写処理条件に基づいて、ＡＤＦの原稿トレイ又はＦＢＳの原稿台に配置すべき正しい原稿の向きが判断される（Ｓ３）。詳細には、図２に示すテーブルＴにおいて、指定された処理機能について「ＯＮ」が設定され、指定されていない処理機能について「ＯＦＦ」が設定されているレコードであって、前記Ｓ２で確定した記録紙に対応するレコードの「配置すべき原稿の向き」欄に記憶された情報から原稿配置部に配置すべき正しい原稿の向きが判断される。なお、図２に示すテーブルＴにおいて、「配置すべき原稿の向き」欄に「無」が記憶されている場合は、配置すべき正しい原稿の向きは存在しないと判断される。
【００２８】
次に、前記Ｓ３で配置すべき正しい原稿の向きが存在すると判断した場合、つまり、正しい原稿の向きが縦又は横であると判断した場合（Ｓ４：ＹＥＳ）、原稿配置部（ＡＤＦの原稿トレイ又はＦＢＳの原稿台）に設けられているセンサ等によって、原稿が原稿配置部に配置されているか否かを判断する（Ｓ５）。原稿が原稿配置部に配置されていない場合には（Ｓ５：ＮＯ）、ＣＰＵ２の指令に従って、音声ガイダンス生成部１２は、配置すべき正しい原稿の向きをユーザに知らせるための音声ガイダンスデータをメモリから読み出し、Ｄ／Ａ変換等の所定データ処理を施してスピーカ１２ａから当該音声ガイダンスを発生し、これにより配置すべき正しい原稿の向きを音声により報知する（Ｓ６）。Ｓ６の音声による報知は、原稿配置部へ原稿が配置されるまで繰り返し行われる。音声ガイダンスの内容は、例えば「原稿を縦方向に向けて置いてください。」、「原稿を横方向に向けて置いてください。」などである。
【００２９】
一方、原稿配置部に原稿が配置されている場合には（Ｓ５：ＹＥＳ）、同配置部に配置されている原稿の向きを原稿状態検知センサから送出される信号に基づいて検出し（Ｓ７）、前記Ｓ３において判断した配置すべき正しい原稿の向きと、前記Ｓ７において検出した実際に原稿配置部に配置されている原稿の向きの一致不一致を判断し、一致する場合は、配置された原稿の向きが正しいと判断し、一致しない場合は、配置された原稿の向きが誤っていると判断する。配置された原稿の向きが正しいと判断した場合は（Ｓ８：ＹＥＳ）、複写処理を開始すべき操作としてスタートキーが押下された後（Ｓ９：ＹＥＳ）、指定された処理機能に従って複写処理を開始する。一方、配置された原稿の向きが誤っていると判断した場合は（Ｓ８：ＮＯ）、音声ガイダンス生成部１２は、配置された原稿の向きが誤っている旨をユーザに知らせるための音声ガイダンスデータをメモリから読み出し、Ｄ／Ａ変換等の所定データ処理を施してスピーカ１２ａから当該音声ガイダンスを発生する。これにより配置された原稿の向きが誤っている旨を音声により報知する（Ｓ１０）。Ｓ１０の音声による報知は、原稿配置部へ正しい向きで原稿が配置されるまで繰り返して行われる。また、音声ガイダンスの内容は、例えば「原稿の配置方向が間違っています。原稿の向きを直して下さい。」などである。
【００３０】
一方、前記Ｓ４において、配置すべき正しい原稿の向きが存在しないと判断した場合（Ｓ４：ＮＯ）、ＣＰＵ２の指令に従って、音声ガイダンス生成部１２は、組み合わせて使用することができない処理機能が重複して指定されている旨をユーザに知らせるための音声ガイダンスデータをメモリから読み出し、Ｄ／Ａ変換等の所定データ処理を施してスピーカ１２ａから当該音声ガイダンスを発生する。これによりその旨を報知する（Ｓ１１）。音声ガイダンスの内容は、例えば「重複指定できない機能が複数指定されています。再度機能指定操作からやり直してください。」などである。
【００３１】
以上の説明から明らかなように、本発明の実施の形態に係る複合機（画像形成装置）１によれば、ＡＤＦやＦＢＳの原稿配置部に配置すべき正しい原稿の向きが音声により知らされるので、ユーザは、確実に原稿を正しい方向に向けて配置することができ、多数の処理機能の実行を伴った複写処理であっても適切に実行される。また、処理機能の指定操作を行う前に原稿配置部に原稿を配置し、それが誤った向きに向けられた場合であっても、配置されている原稿が誤った向きに向けられていることが音声により報知されるので、ユーザは正しい方向に原稿の向きを直すことができる。
【００３２】
また、配置すべき正しい原稿の向きが音声によって知らされることにより、表示部１１にその旨の情報を表示するよりも一層確実且つ明確にユーザに知らせることができる。さらに、Ｓ６、Ｓ１０の音声による報知は、原稿が正しく配置されるまで繰返し行われるので、ユーザが音声ガイダンスの内容を聞き逃すことが少なくなる。
【産業上の利用可能性】
【００３３】
本発明は、例えば、拡大・縮小機能、集約機能、両面複写機能など種々の処理機能を実行するために、指定された処理条件に従って原稿の複写処理を行う画像形成装置に適用することができる。
【図面の簡単な説明】
【００３４】
【図１】本発明の実施の形態に係るファクシミリ複合機（画像形成装置）の構成例を示した図である。
【図２】テーブルの一例を示した図である。
【図３】本発明の実施の形態に係るファクシミリ複合機（画像形成装置）が複写処理を開始する前に実行する処理動作を示したフローチャートである。
【図４】ウィザードの実行により表示部に表示される画面情報の表示例を示した図である。
【図５】ウィザードの実行により表示部に表示される画面情報の表示例を示した図である。
【符号の説明】
【００３５】
Ｔ    テーブル
１    複合機（画像形成装置）
２    ＣＰＵ
３    ＲＯＭ
４    ＲＡＭ
９    読取部
１０    記録部
１２  音声ガイダンス生成部
１２ａ  スピーカ
【図１】
2005352002.tif 000003
【図２】
2005352002.tif 000004
【図３】
2005352002.tif 000005
【図４】
2005352002.tif 000006
【図５】
2005352002.tif 000007